(57)【特許請求の範囲】
【請求項１】
データ端末と、
交換機が有する複数の方路を網の構成に応じて分割してなる群毎にその群に接続される多重伝送路とのインタフェースをとる個々の伝送装置について、これらの方路毎に収容される通信端末あるいは接続される隣接局と、その交換機と多重伝送路との間に形成される通信経路との識別子が予め蓄積されたデータベースと、
前記データ端末を介して与えられた前記通信端末および前記隣接局の識別子に基づいて前記データベースを検索し、その通信端末および隣接局の組み合わせに対応した通信経路の識別子および方路を全て取得してそのデータ端末に出力する検索手段と、
前記検索手段によって前記データ端末に出力された識別子および方路の内、そのデータ端末を介して指定され、かつ識別情報が付与された識別子および方路の組み合わせをその識別情報と共に蓄積する通信経路蓄積手段とを備え、
前記検索手段は、
前記データ端末に出力された識別子および方路の内、そのデータ端末を介して指定され、かつ識別情報が付与された識別子および方路の組み合わせとその識別情報とをその方路に対応した伝送装置と交換機とに対応した複数の記憶媒体に、分散して蓄積する
ことを特徴とする通信経路管理システム。
【請求項２】
データ端末と、
前記データ端末を介して与えられた通信端末および隣接局の識別子の組み合わせに基づいて、請求項１に記載の通信経路管理システムによって蓄積された識別子および方路の組み合わせと識別情報との全てを検索して取得し、これらの識別情報をそのデータ端末に出力する検索手段と、
前記検索手段によって前記データ端末に出力された識別情報の内、そのデータ端末を介して指定された識別情報についてその検索手段によって取得された識別子および方路の組み合わせを交換機と、これらの方路に対応した伝送装置とに通知し、その組み合わせに対応した通信経路の形成を指令する制御手段と
を備えたことを特徴とする伝送制御システム。
【発明の詳細な説明】
【０００１】
【産業上の利用分野】
通信網において、その通信網を構成する交換機および伝送装置が形成すべき通信経路を記憶して管理する通信経路管理システムと、このようにして記憶された通信経路にかかわる試験の援助に供される伝送制御システムに関する。
【０００２】
【従来の技術】
地理的に広い範囲に配置された多くの交換局とこれらの交換局の間に形成された伝送路とからなる公衆通信網では、加入者に提供される通信サービスの品質の劣化を回避しつつ保守および運用にかかわるコストの削減と効率化をはかるために、伝送装置監視制御システムが導入されている。
【０００３】
このような伝送装置監視制御システムは、例えば、主要都市毎に設置され、かつ該当する主要都市およびその周辺に設置された交換局を構成する交換機や伝送装置について所望の通信経路（以下、単に「パス」という。）を登録したり設定し、このようにして設定されたパスにかかわる試験とその試験の結果に基づく保守および運用とに供される。
【０００４】
図１１は、伝送装置監視制御システムが設けられた網の一例を示す図である。図において、交換局５０１〜５０５は、局間伝送路５１１〜５１４を介して直列に配置され、交換局５０２  と交換局５０４  との間には、これらの局間伝送路とは別個に局間伝送路５２が形成される。交換局５０２  と交換局５０４  とには、それぞれ端末５３１、５３２が収容される。
【０００５】
図１２は、従来の伝送装置監視制御システムの構成を示す図である。
図において、上述した交換局５０１〜５０５において入方路および出方路（上述した局間伝送路５１１〜５１４の何れかに相当する。）に接続された伝送装置６１１〜６１Ｍと、これらの伝送装置の間に所定の呼処理の手順に基づいて通話路を形成する交換機（クロスコネクト装置）６２１〜６２Ｎとは、それぞれ専用の通信リンクを介して伝送装置制御装置６３と伝送装置監視装置６４とに接続される。
【０００６】
伝送装置制御装置６３では、上述した通信リンクがスレーブユニット６５１  〜６５Ｍ＋Ｎ  を介してマスタユニット６６に接続され、そのマスタユニットにはデータベースを形成する外部記憶６７１  とコンソール６８１  と接続される。
伝送装置監視装置６４では、上述した通信リンクがホストコンピュータ６９の通信ポートに接続され、そのホストコンピュータはデータベースを形成する外部記憶６７２  とマンマシンインタフェースをとるコンソール６８２  に接続される。
図１３は、各局における伝送系の構成を示す図である。
【０００７】
図において、交換機（上述した交換機６２１〜６２Ｎの何れかに相当するが、ここでは、簡単のため符号「７１」を付して示す。）に収容される複数（ここでは、簡単のため「９」とする。）の下位の方路はそれぞれ３本ずつ伝送装置７２１  〜７２３  を介して端末（図示されない。）に接続され、その交換機に収容される複数（ここでは、簡単のため「１０」とする。）の上位の方路はそれぞれ５本ずつ伝送装置７３１、７３２を介して隣接局（図示されない。）に接続される。また、伝送装置７２１  〜７２３  から上述した端末に至る区間は、例えば、ビットレートが１．５Ｍｂｐｓ、２Ｍｂｐｓ、６．３Ｍｂｐｓ、８Ｍｂｐｓの何れかである低速の伝送路７４１１〜７４１３、７４２１〜７４２３、７４３１〜７４３３を介して接続され、これらの伝送装置と交換機７１との間は、例えば、ビットレートが５０Ｍｂｐｓ、  １５０Ｍｂｐｓの何れかである中速の伝送路７５１１〜７５１３、７５２１〜７５２３、７５３１〜７５３３を介して接続される。交換機７１と伝送装置７３１  〜７３２  との間は、同様にしてビットレートが５０Ｍｂｐｓ、  １５０Ｍｂｐｓの何れかである中速の伝送路７６１１〜７６１５、７６２１〜７６２５を介して接続され、これらの伝送装置と上述した隣接局との間は、例えば、ビットレートが１００Ｍｂｐｓ、１５０Ｍｂｐｓ、６００Ｍｂｐｓの何れかである高速の伝送路（例えば、光ファイバを用いて構成される。）７７１１〜７７１５、７７２１〜７７２５を介して接続される。なお、これらの伝送路７４１１〜７４１３、７４２１〜７４２３、７４３１〜７４３３、７５１１〜７５１３、７５２１〜７５２３、７５３１〜７５３３、７６１１〜７６１５、７６２１〜７６２５、７７１１〜７７１５、７７２１〜７７２５は、図１３の下部に示すように、複数のパス（物理的に形成されたものに限らず、例えば、セル単位やパケット単位に多重化されたりその他の如何なる方式に基づいて論理的に多重化されて形成されたものであってもよい。）の集合を形成するものとする。
【０００８】
さらに、伝送装置７２１  には、図１４に示すように、伝送路７４１１〜７４１３にそれぞれ対応するモジュール（Ｍ）８１１１〜８１１３と、伝送路７５１１〜７５１３にそれぞれ対応するモジュール（Ｍ）８２１１〜８２１３とが備えられ、伝送装置７２２  には、伝送路７４２１〜７４２３にそれぞれ対応するモジュール（Ｍ）８１２１〜８１２３と、伝送路７５２１〜７５２３にそれぞれ対応するモジュール（Ｍ）８２２１〜８２２３とが備えられる。伝送装置７２３  には、伝送路７４３１〜７４３３にそれぞれ対応するモジュール（Ｍ）８１３１〜８１３３と、伝送路７５３１〜７５３３にそれぞれ対応するモジュール（Ｍ）８２３１〜８２３３とが備えられる。交換機７１には、伝送路７５１１〜７５１３、７５２１〜７５２３、７５３１〜７５３３にそれぞれ対応するモジュール（Ｍ）８３１１〜８３１３、８３２１〜８３２３、８３３１〜８３３３と、伝送路７６１１〜７６１５、７６２１〜７６２５にそれぞれ対応するモジュール（Ｍ）８４１１〜８４１５、８４２１〜８４２５とが備えられる。伝送装置７３１  には伝送路７６１１〜７６１５にそれぞれ対応するモジュール（Ｍ）８５１１〜８５１５と、伝送路７７１１〜７７１５にそれぞれ対応するモジュール（Ｍ）８６１１〜８６１５とが備えられ、伝送装置７３２  には伝送路７６２１〜７６２５にそれぞれ対応するモジュール（Ｍ）８５２１〜８５２５と、伝送路７７２１〜７７２５にそれぞれ対応するモジュール（Ｍ）８６２１〜８６２５とが備えられる。
【０００９】
このような構成の伝送装置監視制御システムを適用して交換機７１や伝送装置７２１〜７２３、７３１、７３２によって形成されるパスの試験を行うためには、一般に、例えば、図１４に示すように、伝送路７４１１〜７４１３、７４２１〜７４２３、７４３１〜７４３３に個別に接続される端末の識別情報Ａ〜Ｚと、交換機７１においてモジュール８３１１〜８３１３、８３２１〜８３２３、８３３１〜８３３３（伝送路７５１１〜７５１３、７５２１〜７５２３、７５３１〜７５３３）とモジュール（Ｍ）８４１１〜８４１５、８４２１〜８４２５（伝送路７６１１〜７６１５、７６２１〜７６２５）との間に形成され得る通話路と、伝送路７７１１〜７７１５、７７２１〜７７２５に接続される隣接局の識別情報とを与えるパス開通資料が上述したハードウエアの構成に基づいて予め作成される。
【００１０】
さらに、外部記憶６７１  には、交換機７１や伝送装置７２１  〜７２３、７３１、７３２  に実装された全てのモジュールの実装位置と、これらのモジュールを介して接続された個々の伝送路が形成するパス（通信経路）の識別情報（以下、単に「アドレス」という。）と、これらのパスの両端に接続される端末や隣接局との対応関係を示すデータベースが予め構築される。このようなデータベースの内容の内、上述したアドレス以外のものは、所望のモジュールが実装され、かつこれらのモジュールの間を結ぶ伝送路が全て実装（増設）された時点で、これらのモジュールおよび伝送路について一括して登録される。
【００１１】
また、このようにして実装や増設が行われたモジュールや伝送路については、運用の開始に先行して以下の手順に基づく登録処理処理が行われる。
伝送装置制御装置６３では、マスタユニット６６は、上述した実装や増設がなされたモジュールや伝送路を指定して登録処理の開始を指示するコマンドがコンソール６８１  を介して与えられると、上述したデータベースの内容の内、そのモジュールや伝送路に対応するもの（ここでは、簡単のため、伝送装置７２１  に実装されたモジュール８１１１と伝送路７４１１とにかかわるものとする。）を選択し、例えば、図１５に示すように、図に変換してコンソール６８１  に出力する。なお、図において「Ｍ」に代えて記述された番号  「１」、「２」、「３」、…、「１１」、「１２」、「１３」、…については、モジュールの物理的な実装位置を識別する番号（以下、図１６〜図１８についても同様とする。）である。
【００１２】
したがって、コンソール６８１  の操作者は、このような図と上述した回線開通資料とを参照することにより、該当するモジュールに接続された伝送路の上に形成される個々のパスと、そのパスに個別に接続される端末との対応関係を指定することが可能となる。
マスタユニット６６は、このような対応関係を示すアドレス（ここでは、簡単のため、上述したモジュールの実装位置を含むものと仮定する。）がコンソール６８１  を介して与えられると、そのアドレスを上述したデータベースに蓄積する。
【００１３】
さらに、マスタユニット６６は、このようにして伝送装置と端末とを結ぶ伝送路についてアドレスの設定が完了すると、上述したように選択されたデータベースの内容の内、伝送路７５１１〜７５１３、７５２１〜７５２３、７５３１〜７５３３（ここでは、簡単のため、伝送路７５１１〜７５１３とする。）にかかわるものを選択し、図１６に示すように、これらの伝送路の両端に接続された伝送装置７２１  および交換機７１とこれらに実装されるべきモジュールの実装位置を示す図に変換してコンソール６８１  に出力する。
【００１４】
したがって、操作者は、このような図と上述した回線開通資料とを参照することにより、例えば、モジュール８２１１とモジュール８３１１との間を結ぶ伝送路７５１１について、形成されるべき個々のパスと、そのパスに接続される端末（先行して指定された伝送路７４１１上のパス）あるいはその端末に接続されるべき交換機７１の方路（その交換機７１によって形成される通話路）との対応関係を指定することが可能となる。
【００１５】
マスタユニット６６は、このような対応関係を示すアドレス（ここでは、簡単のため、モジュール８２１１やモジュール８３１１の実装位置を含むものと仮定する。）が与えられると、そのアドレスをデータベースに蓄積する。
さらに、マスタユニット６６は、このようにして伝送装置７２１  と交換機７１とを結ぶ伝送路についてアドレスの設定が完了すると、同様にして選択されたデータベースの内容の内、伝送路７６１１〜７６１５、７６２１〜７６２５（ここでは、簡単のため、伝送路７６１１〜７６１５とする。）にかかわるものを選択し、図１７に示すように、これらの伝送路両端に接続される交換機７１および伝送装置７３１  とこれらに実装されるべきモジュールの実装位置を示す図に変換してコンソール６８１  に出力する。
【００１６】
したがって、操作者は、このような図と上述した回線開通資料とを参照することにより、例えば、モジュール８４１１とモジュール８５１１との間を結ぶ伝送路７６１１に形成されるべき個々のパスと、そのパスに接続されるべき方路との対応関係を指定することが可能となる。
マスタユニット６６は、このような対応関係を示すアドレス（ここでは、簡単のため、モジュール８４１１やモジュール８５１１の実装位置を含むものと仮定する。）が与えられると、そのアドレスをデータベースに蓄積する。
【００１７】
また、マスタユニット６６は、このようにして交換機７１と伝送装置７３１  とを結ぶ伝送路についてアドレスの設定が完了すると、同様にして選択されたデータベースの内容の内、伝送路７７１１〜７７１５、７７２１〜７７２５（ここでは、簡単のため、伝送路７７１１〜７７１５とする。）にかかわるものを選択し、図１８に示すように、これらの伝送路の両端に接続される伝送装置７３１  および隣接局と、その伝送装置に実装されるべきモジュールの実装位置を示す図に変換してコンソール６８１  に出力する。
【００１８】
したがって、操作者は、このような図と上述した回線開通資料とを参照することにより、例えば、モジュール８６１１と所望の隣接局との間を結ぶ伝送路７７１１に形成されるべき個々のパスと、そのパスに接続されるべき方路との対応関係を指定することが可能となる。
マスタユニット６６は、このような対応関係を示すアドレス（ここでは、簡単のため、モジュール８６１１の実装位置を含むものと仮定する。）が与えられると、そのアドレスをデータベースに蓄積する。
【００１９】
したがって、データベースには、伝送路７４１１〜７４１３、７４２１〜７４２３、７４３１〜７４３３、伝送装置７２１〜７２３、伝送路７５１１〜７５１３、７５２１〜７５２３、７５３１〜７５３３、交換機７１、伝送路７６１１〜７６１５、７６２１〜７６２５、伝送装置７３１、７３２および伝送路７７１１〜７７１５、７７２１〜７７２５を介して形成されるべき種々のパスが、そのパスを構成する伝送区間毎に分割され、かつその伝送区間に介在するハードウエアとの対応関係に変換されて記憶される。
【００２０】
以下、試験等の対象となるパスの設定手順について説明する。
伝送装置制御装置６３では、操作者が回線開通資料を参照することによりパスの設定に関与すべき伝送装置（ここでは、簡単のため、符号「７２１  」で示されるものとする。）を指定し、その伝送路の識別情報を含むパスの設定要求をコンソール６８１  に入力すると、マスタユニット６６は、上述した登録の内容が記憶されたデータベースにその識別情報に基づく検索処理を施す。
【００２１】
マスタユニット６６は、このような検索処理の下で伝送装置７２１  にかかわる情報を選択し、例えば、図１５に示すように、図に変換してコンソール６８１  に出力する。
操作者が、このような図と回線開通資料とを参照することにより、例えば、所望のパスを設定すべき伝送路として符号「７４１１」で示されるものを選択する指令をコンソール６８１  を介して入力すると、マスタユニット６６は、その指令に基づいてデータベースを検索する。マスタユニット６６は、このような検索により、図１９に示すように、その伝送路に既に登録されている全てのパスについて、上述したアドレスと、両端に接続されるべき端末（利用者名）および隣接局（伝送先局名）（あるいは他の端末）とを示す一覧表を生成してコンソール６８１  に出力する。
【００２２】
さらに、操作者がコンソール６８１  を操作することにより、このような一覧表に含まれるアドレスの内、所望のパスを形成し得るものを選択すると、マスタユニット６６は、そのアドレスとこれに対応した全ての情報（以下、単に「パス情報１」という。）とをデータベースから切り出して副次的なデータベース（以下、スレーブデータベースという。）を生成する。なお、このようなスレーブデータベースについては、ここでは、簡単のため外部記憶６７１  に格納されるものとする。
【００２３】
次いて、マスタユニット６６は、このようなパスについて、伝送路７４１１の延長区間となり得る伝送路７５１１、７５１２、７５１３の識別情報に基づいて、同様にしてデータベースの検索処理を行ってその伝送路にかかわる情報を抽出し、例えば、図１６に示すように図に変換してコンソール６８１  に出力する。
操作者が、このような図と回線開通資料とを参照することにより、例えば、所望のパスを設定すべき伝送路として符号「７５１１」で示されるものを選択する指令をコンソール６８１  を介して入力すると、マスタユニット６６は、その指令に基づいてデータベースを検索する。マスタユニット６６は、このような検索により、図１９に示すように、その伝送路に既に登録されている全てのパスについて、上述したアドレスと、両端に接続されるべき端末（利用者名）および隣接局（伝送先局名）（あるいは他の端末）とを示す一覧表を生成してコンソール６８１  に出力する。
【００２４】
さらに、操作者がコンソール６８１  を操作することにより、このような一覧表に含まれるアドレスの内、所望のパスを形成し得るものを選択すると、マスタユニット６６は、そのアドレスとこれに対応した全ての情報（以下、単に「パス情報２」という。）とをデータベースから切り出して上述したスレーブデータベースに付加する。
【００２５】
また、操作者が回線開通資料を参照することによりパスの設定に関与すべき伝送装置（ここでは、簡単のため、符号「７３１  」で示されるものとする。）を指定し、その伝送路の識別情報をコンソール６８１  を介して入力すると、マスタユニット６６は、同様にしてデータベースにその識別情報に基づく検索処理を施す。
マスタユニット６６は、このような検索処理の下で伝送装置７３１  にかかわる情報を選択し、例えば、図１７に示すように図に変換してコンソール６８１  に出力する。
【００２６】
操作者が、このような図と回線開通資料とを参照することにより、例えば、所望のパスを設定すべき伝送路として符号「７６１１」で示されるものを選択する指令をコンソール６８１  を介して入力すると、マスタユニット６６は、その指令に基づいてデータベースを検索する。マスタユニット６６は、このような検索により、図２０に示すように、その伝送路に既に登録されている全てのパスについて、上述したアドレスと一端に接続されるべき端末（利用者名）とを示す一覧表を生成してコンソール６８１  に出力する。
【００２７】
さらに、操作者がコンソール６８１  を操作することにより、このような一覧表に含まれるアドレスの内、所望のパスを形成し得るものを選択すると、マスタユニット６６は、そのアドレスとこれに対応した全ての情報（以下、単に「パス情報３」という。）とをデータベースから切り出して上述したスレーブデータベースに付加する。
【００２８】
次いて、マスタユニット６６は、このような伝送路７６１１の延長区間となり得る伝送路７７１１〜７７１５の識別情報に基づいて、同様にしてデータベースの検索処理を行ってその伝送路にかかわる情報を抽出し、例えば、図１８に示すように図に変換してコンソール６８１  に出力する。
操作者が、このような図と回線開通資料とを参照することにより、例えば、所望のパスを設定すべき伝送路として符号「７７１１」で示されるものを選択する指令をコンソール６８１  を介して入力すると、マスタユニット６６は、その指令に基づいてデータベースを検索する。マスタユニット６６は、このような検索により、図２０に示すように、その伝送路に既に登録されている全てのパスについて、上述したアドレスと一端に接続されるべき端末とを示す一覧表を生成してコンソール６８１  に出力する。
【００２９】
さらに、操作者がコンソール６８１  を操作することにより、このような一覧表に含まれるアドレスの内、所望のパスを形成するものを選択すると、マスタユニット６６は、そのアドレスとこれに対応した全ての情報（以下、単に「パス情報４」という。）とをデータベースから切り出して上述したスレーブデータベースに付加する。
【００３０】
伝送装置制御装置６３では、マスタユニット６６は、このようにして所望のパスを構成する各伝送区間について全てのパス情報（パス情報１〜パス情報４）がスレーブデータベースとして得られると、スレーブユニット６５１〜６５Ｍ＋Ｎの内、これらのパス情報に対応したものを介して交換機７１、伝送装置７２１、７３１を制御することにより導通試験、保守その他の対象となるパスを設定する。
【００３１】
なお、このような手順に基づくパスの設定は、例えば、交換局５０２  に収容された端末５３１  と交換局５０４  に収容された端末５３２  との間に交換局５０３  を介して形成する場合にはこれらの交換局で個別に行われ、かつ交換局５０３  を介さずに形成する場合には、交換局５０２  と交換局５０４  とにおいて局間伝送路５２を経由する旨の指定の下で個別に行われる。したがって、複数の交換局を介してパスを設定する必要がある場合には、そのパスにかかわる試験等を主導的に行う交換局と他の交換局との間で電話その他によって適宜連絡をとることが必要である。
【００３２】
なお、交換機７１および伝送装置７２１〜７２３、７３１、７３２は、呼処理の対象となる呼やトラフィックについて予め決められた監視項目の情報を収集する機能を有し、ホストコンピュータ６９はこのようにして収集された情報を通信リンクを介して取り込んで処理することにより、これらの交換機や伝送装置の稼働状況の正否に併せて、例えば、不完了呼の発生要因や完了呼率等を伝送路（方路）毎に把握して系の状況を監視する。しかし、このような監視にかかわる処理や各部の機能については、本発明に直接関係ないので、ここではその説明を省略する。
【００３３】
【発明が解決しようとする課題】
ところで、このような従来例では、所望のパスの設定は上述したように局舎内に外部から引き込まれた伝送路と、交換機と伝送装置との間を結ぶ複数の伝送路とについて個別にアドレスを選択（あるいは指定）する複数の工程の下で実現され、かつこれらの各工程において逐次回線開通資料を参照しつつそのパスを構成する伝送区間の選定を操作者が行う必要があるために、コンソール６８１  の操作が繁雑であって作業効率が低く、かつ多くの工数を要した。
【００３４】
また、このようなアドレスについては、局内のハードウエアの構成や実装状況に応じて変動して上述した複数の伝送路について個別に選択（あるいは指定）され、かつコンソール６８１  に表示される帳票の形式が設定に先行して行われる登録の過程におけるものに極似している。したがって、このような作業は、その構成や実装状況を確実に把握した者でなければ行えず、かつこのような者であっても操作を誤る可能性が高かった。
【００３５】
さらに、このようなパスの登録や設定にかかわる誤操作は、導通試験等の判定結果の反転要因であり、その判定結果の確実性を期するにはその登録や設定の内容を再確認する作業が必要であるために、保守や運用に要するコストが増加する要因ともなっていた。
本発明は、効率的にかつ確実に通信経路の登録および設定を行うことを可能とする通信経路管理システムおよび伝送制御システムを提供することを目的とする。
【００３６】
【課題を解決するための手段】
図１は、請求項１に記載の発明の原理ブロック図である。
請求項１に記載の発明は、データ端末１１と、交換機が有する複数の方路を網の構成に応じて分割してなる群毎にその群に接続される多重伝送路とのインタフェースをとる個々の伝送装置について、これらの方路毎に収容される通信端末あるいは接続される隣接局と、その交換機と多重伝送路との間に形成される通信経路との識別子が予め蓄積されたデータベース１３と、データ端末１１を介して与えられた通信端末および隣接局の識別子に基づいてデータベース１３を検索し、その通信端末および隣接局の組み合わせに対応した通信経路の識別子および方路を全て取得してそのデータ端末に出力する検索手段１５と、検索手段１５によってデータ端末１１に出力された識別子および方路の内、そのデータ端末を介して指定され、かつ識別情報が付与された識別子および方路の組み合わせをその識別情報と共に蓄積する通信経路蓄積手段１７とを備え、検索手段１５は、データ端末１１に出力された識別子および方路の内、そのデータ端末を介して指定され、かつ識別情報が付与された識別子および方路の組み合わせとその識別情報とをその方路に対応した伝送装置と交換機とに対応した複数の記憶媒体に、分散して蓄積することを特徴とする。
【００３７】
図２は、請求項２に記載の発明の原理ブロック図である。
請求項２に記載の発明は、データ端末２１と、データ端末２１を介して与えられた通信端末および隣接局の識別子の組み合わせに基づいて、請求項１に記載の通信経路管理システムによって蓄積された識別子および方路の組み合わせと識別情報との全てを検索して取得し、これらの識別情報をそのデータ端末に出力する検索手段２３と、検索手段２３によってデータ端末２１に出力された識別情報の内、そのデータ端末を介して指定された識別情報についてその検索手段によって取得された識別子および方路の組み合わせを交換機と、これらの方路に対応した伝送装置とに通知し、その組み合わせに対応した通信経路の形成を指令する制御手段２５とを備えたことを特徴とする。
【００３８】
【作用】
請求項１に記載の発明にかかわる通信経路管理システムでは、検索手段１５は、登録すべきパスの両端に接続された通信端末および隣接局の任意の組み合わせについてデータ端末１１を介して識別子が与えられると、これらの識別子を検索キーとしてデータベース１３を検索し、その組み合わせに対応した通信経路の識別子および方路の全てを取得してそのデータ端末に出力する。通信経路蓄積手段１７は、このようにしてデータ端末１１に出力された識別子および方路の何れかがそのデータ端末を介して指定されて識別情報が付与されると、その識別子および方路の組み合わせをその識別情報と共に蓄積する。
【００３９】
データ端末１１に出力された識別子および方路の内、そのデータ端末を介して指定されて識別情報が付与されたものの組み合わせとその識別情報とは、その組み合わせで与えられる方路に接続された伝送装置と交換機とに対応して個別に設けられた記憶媒体に分散して蓄積される。
【００４０】
すなわち、所望のパスの両端に接続された通信端末や隣接局に応じてその両端の間に形成され得る全てのパスを識別情報で示す情報が蓄積されるので、従来例のように回線開通資料を参照することなく効率的にかつ確実にパスの登録が行われる。
【００４１】
さらに、これらの記憶媒体に個別に蓄積される情報の情報量については、増加率が登録されるパスの数に対してその分散の下で軽減され、これらの伝送装置および伝送装置が本来的に行うべき処理に要する記憶容量が効率よく確保される。
【００４２】
請求項２に記載の発明にかかわる伝送制御システムでは、検索手段２３は、データ端末２１を介して設定すべき回線の両端に接続された通信端末および隣接局の識別子の組み合わせが与えられると、その組み合わせを検索キーとして請求項１に記載の通信経路管理システムに蓄積された識別子および方路の組み合わせと識別情報との全てを取得する。さらに、検索手段２３は、このようにして取得された識別情報をデータ端末２１に出力する。制御手段２５は、このようにして出力された識別情報の内、データ端末２１を介して指定された識別情報について上述したように取得された識別子および方路の組み合わせを求め、その組み合わせをこれらの方路に対応した伝送装置と交換機とに通知することにより、その伝送装置と交換機とに通信経路の形成を指令する。
【００４３】
すなわち、所望のパスの両端に接続された通信端末や隣接局に基づいて予め登録されたパスからその所望のパスについて全ての候補が識別情報によって与えられるので、これらの識別情報の何れかを指定することにより、新たにこれらの端末や隣接局の間を結ぶ各伝送区間について物理的なアドレスを指定することなく効率的に所望のパスを設定することが可能となる。
【００４４】
【実施例】
図３は、請求項１および請求項２に記載の発明に対応した実施例を示す図である。
【００４５】
図において、図１２に示すものと機能および構成が同じものについては、同じ参照番号を付与して示し、ここではその説明を省略する。
本発明の特徴とする構成は、本実施例では、マスタユニット６６に代えてマスタユニット４１が備えられ、スレーブユニット６５１〜６５Ｍ＋Ｎに代えてスレーブユニット４２１〜４２Ｍ＋Ｎが備えられ、かつこれらのスレーブユニットにはそれぞれ外部記憶４３１〜４３Ｍ＋Ｎが接続された点にある。なお、これらのマスタユニット４１、スレーブユニット４２１〜４２Ｍ＋Ｎおよび外部記憶４３１〜４３Ｍ＋Ｎを含んで構成される伝送装置制御装置については、符号「４４」を付して示す。
【００４６】
本実施例と図１、図２に示すブロック図との対応関係については、コンソール６８１  はデータ端末１１、２１に対応し、マスタユニット４１および外部記憶６７１  （またはマスタユニット４１、外部記憶６７１  、スレーブユニット４２１  〜４２Ｍ＋Ｎ  および外部記憶４３１  〜４３Ｍ＋Ｎ）はデータベース１３および通信経路蓄積手段１７に対応し、マスタユニット４１は検索手段１５、２３に対応し、スレーブユニット４２１  〜４２Ｍ＋Ｎ  は制御手段２５に対応する。
【００４７】
図４は、請求項１に記載の発明に対応した本実施例の動作フローチャートである。
以下、図３および図４を参照して請求項１に記載の発明に対応した本実施例における各部の基本的な動作を説明する。
【００４８】
なお、交換機７１や伝送装置７２１  〜７２３、７３１  、７３２に実装された全てのモジュールについては、実装位置、接続される個々の伝送路に形成されるパスのアドレス、これらのパスに接続される端末や隣接局との対応関係を示すデータベースが予め生成されて外部記憶６７１  に登録されているものとする。
このようにして実装（あるいは増設）されたモジュールや伝送路については、運用の開始に先行して以下の手順に基づく登録処理が行われる。
【００４９】
伝送装置制御装置４４では、マスタユニット４１は、コンソール６８１  を介して登録処理の開始を指示するコマンドが与えられると、登録すべきパスの両端に接続された端末の識別情報（利用者名）と隣接局の識別情報（伝送先局名）とを問い合わせるメッセージを生成し（図４▲１▼）、そのメッセージをコンソール６８１  に出力する（図４▲２▼、図５）。
【００５０】
このようなメッセージに応じてコンソール６８１  の操作者が利用者名と伝送先局名とを入力すると、マスタユニット４１は、これらの利用者名および伝送先局名とを検索キーとして上述したデータベースの検索処理を行う（図４▲３▼）ことにより、両者間に形成し得る個々のパスのアドレスを伝送路７４１１〜７４３３、７５１１〜７５３３、７６１１〜７６２５、７７１１〜７７２５の伝送区間毎に峻別して求め（図４▲４▼）、これらのアドレスの組み合わせを図６に示す帳票に変換してコンソール６８１  に出力する（図４▲５▼）。
【００５１】
マスタユニット４１は、このようにして出力された組み合わせの何れかが操作者によって選択されると、図７に示すように、その選択された組み合わせによって形成されるパスを識別するために付与すべき名称を問い合わせるメッセージを生成して（図４▲６▼）コンソール６８１  に出力する（図４▲７▼）。さらに、マスタユニット４１は、そのメッセージに応じて操作者がパスの名称（ここでは、簡単のため、「Ｃ１」とする。）を与えると、その名称と上述したアドレスの組み合わせとを両者の対応関係を示す登録パスデータベースとして登録する（図４▲８▼）。
【００５２】
すなわち、所望のパスの両端に接続される端末や隣接局を指定することによりその両端の間に形成し得るパスについて伝送区間毎のアドレスの一覧表が与えられるので、その一覧表に含まれるアドレスを選択する単純な作業を行うことによって、回線開通資料を頻繁に参照することなく効率的にかつ確実にパスの登録を行うことが可能となる。
【００５３】
以下、本実施例の主要な特徴および動作について説明する。
本実施例の特徴は、後述する登録パスデータベースの構成および配置にあり、パスの登録および設定にかかわる動作については、既述の通りであるから、ここではその説明を省略する。
【００５４】
本実施例では、上述した登録パスデータベースが外部記憶４３１〜４３Ｍ＋Ｎに分散して形成され、その内容には各伝送装置や交換機に実装されたモジュールの実装位置を含むアドレスとパスの名称とが含まれる。
また、パスの登録が行われる過程において、操作者によってパスの名称が与えられたときには、マスタユニット４１は、スレーブユニット４２１〜４２Ｍ＋Ｎを介してその名称と、アドレスの組み合わせおよびこれらの対応関係を登録パスデータベースに登録する。
【００５５】
さらに、パスの設定が行われる過程において操作者によって利用者名と伝送先局名（あるいは利用者名）とが与えられたときには、マスタユニット４１は、これらの利用者名あるいは伝送先局名を検索キーとし、かつスレーブユニット４２１〜４２Ｍ＋Ｎ  を介して登録パスデータベースの検索処理を行う。
したがって、本実施例では、登録パスデータベースに蓄積される情報の情報量が同時に登録されるパスの数に応じて増大しても、登録された全てのパスにかかわる情報が外部記憶６７１  に格納される場合に比較して、その外部記憶の記憶容量の下で本来的にマスタユニット４１が行うべき処理に要する記憶容量を確保出来なかったり、その記憶容量を確保できても処理効率の低下を来す可能性が大幅に軽減される。
【００５６】
なお、本実施例では、パスの登録に伴って登録パスデータベースが更新あるいは生成されているが、本発明はこのようなデータベースの構成に限定されず、例えば、既存のデータベースに併合してパスの名称とそのパスの構成を伝送区間毎に示すアドレスの組み合わせとを登録してもよい。
図８は、請求項２に記載の発明に対応した本実施例の動作フローチャートである。
【００５７】
以下、図３および図８を参照して本実施例の動作を説明する。
先行して登録がなされたパスについて試験や保守を行うためには、以下に示す手順に基づいて所望のパスの設定が行われる。
伝送装置制御装置４４では、マスタユニット４１は、コンソール６８１  を介してパスの設定を要求するコマンドが与えられると、図９（ａ）、（ｂ）  の何れかに示すように、設定すべきパスの両端に接続されるべき端末の識別情報（利用者名）と隣接局の識別情報（伝送先局名）（あるいは他の端末の識別情報（利用者名））とを問い合わせるメッセージを生成し（図８▲１▼）、そのメッセージをコンソール６８１  に出力する（図８▲２▼）。
【００５８】
このようなメッセージに応じてコンソール６８１  の操作者が利用者名と伝送先局名（あるいは利用者名）とを入力すると、マスタユニット４１は、これらの利用者名および伝送先局名とを検索キーとして上述した登録パスデータベースの検索処理を行う（図８▲３▼）。さらに、マスタユニット４１は、このような検索処理の過程では、両者間に形成され得る全てのパス（ここでは、整数ｎ個あるものとする。）の名称を求め（図８▲４▼）、これらの名称の一覧表を図１０に示す形式の帳票としてコンソール６８１  に出力する（図８▲５▼）。
【００５９】
マスタユニット４１は、このようにして出力されたパスの名称の何れかが操作者によって選択されると、その選択された名称について上述した登録パスデータベースに登録されているアドレスの組み合わせ（伝送路７４１１〜７４３３、７５１１〜７５３３、７６１１〜７６２５、７７１１〜７７２５の各伝送区間のアドレスの集合として与えられる。）を参照して求める（図８▲６▼）。
【００６０】
さらに、マスタユニット４１は、このようにして求められたアドレスに基づいて上述した個々の伝送区間の両端に配置される交換機や伝送装置を求め（図８▲７▼）、かつスレーブユニット４２１〜４２Ｍ＋Ｎを介してこれらの交換機および伝送装置に該当するアドレス（ここでは、簡単のためそのアドレスに対応したパスの名称も一括して指定されるものとする。）を指定する（図８▲８▼）ことにより、その所望の伝送路を設定することを要求する。
【００６１】
このように本実施例によれば、所望のパスの両端に接続される端末や隣接局に基づいて登録パスデータベースを参照することにより、これらの端末や隣接局の間を結ぶ各伝送区間について新たにアドレスを指定することなく効率的にパスを設定することが可能となる。
また、このようなパスの設定については、保守や運用に伴う導通試験に限らず、例えば、運用中に障害が発生したパスの迂回路についても、同様にして回線開通資料を参照することなく効率的にかつ確実に行うことが可能となる。
【００６２】
なお、隣接する複数の交換局で本実施例に基づいてパスの設定を行うことによって導通試験等が実施される過程では、各交換局間の連絡が必要であるが、その連絡の方法については、従来例と同じであるからから、ここではその説明を省略する。
【００６３】
なお、上述した各実施例では、伝送装置６１１〜６１Ｍおよび交換機６２１  〜６２Ｎ  では何れについても冗長化がはかられていないが、本発明は、このような構成に限定されず、例えば、一部あるいは全ての伝送区間が二重化された場合には、パスの登録および設定の過程で何れも候補として取り扱い、かつデータベースおよび登録パスデータベースにも冗長化された伝送路にかかわる情報を蓄積することにより、同様にして適用可能である。
【００６４】
また、上述した実施例では、図５に示すように、登録すべきパスの一端が隣接局であるものと仮定されて伝送先局名を問い合わすメッセージがコンソール６８１  に出力されているが、本発明はこのような場合に限定されず、同一局内に収容された端末相互間を結ぶパスについて登録をしたり、その登録をする可能性がある場合には、例えば、伝送先局名に代えて利用者名を問い合わせたり、利用者名や伝送先局名にかえて所望のパスの両端に接続されるものが端末および隣接局の何れであっても矛盾が生じない包括的な文言を用いることにより、同様のメッセージを生成してもよい。
【００６５】
さらに、上述した各実施例では、伝送路７５１１、７６１１に形成されるパスを示すアドレスが図６および図７に示されているが、このようなアドレスについては交換機７１の入方路や出方路に個別に対応するものであり、これらの交換機や伝送装置に対してパスの設定を指令する際に確実にそのパスを特定可能であるならば、如何なる形式で表されてもよい。
【００６６】
また、上述した各実施例では、図９に示すように、設定すべきパスの両端に接続される利用者名と伝送先局名との問い合わせが行われているが、本発明はこのような構成に限定されず、操作者がこのような利用者名と伝送先局名とを指定すべきタイミングを確実に把握することができるならば、このような問い合わせを省略してもよい。
【００６７】
さらに、上述した各実施例では、パスの名称についても問い合わせが出力されているが、本発明はこのような構成に限定されず、操作者がこのようなパスの名称を指定すべきタイミングを確実に把握することができるならば、このような問い合わせを省略してもよい。
【００６８】
【発明の効果】
上述したように請求項１に記載の発明では、所望のパスの両端に接続された通信端末や隣接局に応じてその両端の間に形成され得る全てのパスを識別情報で示す情報が蓄積されるので、従来例のように回線開通資料を参照することなく効率的にかつ確実にパスの登録が行われる。
【００６９】
さらに、請求項１に記載の発明では、データ端末に出力された識別子および方路の内、そのデータ端末を介して指定されて識別情報が付与されたものの組み合わせとその識別情報とは、その組み合わせで与えられる方路に接続された伝送装置と交換機とに対応して個別に設けられた記憶媒体に分散して蓄積されるので、これらの伝送装置および伝送装置が本来的に行うべき処理に要する記憶容量が確度高く確保される。
【００７０】
請求項２に記載の発明では、所望のパスの両端に接続された通信端末や隣接局に基づいて予め登録されたパスからその所望のパスについて全ての候補が識別情報によって与えられ、これらの識別情報の何れかを指定することにより、新たにこれらの端末や隣接局の間を結ぶ各伝送区間について物理的なアドレスを指定することなく効率的に所望のパスを設定することが可能となる。
【００７１】
したがって、これらの発明が適用された通信網では、保守および運用にかかわる作業の効率と環境とが向上し、かつコストの増加を抑えつつサービス品質と信頼性とが高められる。
【図面の簡単な説明】
【図１】請求項１に記載の発明の原理ブロック図である。
【図２】請求項２に記載の発明の原理ブロック図である。
【図３】請求項１および請求項２に記載の発明に対応した実施例を示す図である。
【図４】請求項１に記載の発明に対応した本実施例の動作フローチャートである。
【図５】パスの登録過程における操作および表示を示す図（１）である。
【図６】パスの登録過程における操作および表示を示す図（２）である。
【図７】パスの登録過程における操作および表示を示す図（３）である。
【図８】請求項２に記載の発明に対応した本実施例の動作フローチャートである。
【図９】パスの設定過程における操作および表示を示す図（１）である。
【図１０】パスの設定過程における操作および表示を示す図（２）である。
【図１１】伝送装置監視制御システムが設けられた網の一例を示す図である。
【図１２】従来の伝送装置監視制御システムの構成を示す図である。
【図１３】各局における伝送系の構成を示す図である。
【図１４】回線開通資料の一例を示す図である。
【図１５】従来のパスの登録過程における操作および表示を示す図（１）である。
【図１６】従来のパスの登録過程における操作および表示を示す図（２）である。
【図１７】従来のパスの登録過程における操作および表示を示す図（３）である。
【図１８】従来のパスの登録過程における操作および表示を示す図（４）である。
【図１９】登録されたパス情報の一例を示す図（１）である。
【図２０】登録されたパス情報の一例を示す図（２）である。
【符号の説明】
１１，２１  データ端末
１３  データベース
１５，２３  検索手段
１７  通信経路蓄積手段
２５  制御手段
４１，６６  マスタユニット
４２，６５  スレーブユニット
４３，６７  外部記憶
４４，６３  伝送装置制御装置
５０  交換局
５１，５２  局間伝送路
５３  端末
６１，７２，７３  伝送装置
６２，７１  交換機
６４  伝送装置監視装置
６８  コンソール
６９  ホストコンピュータ
７４，７５，７６，７７  伝送路
８１，８２，８３，８４，８５，８６  モジュール
【図１】
0003612102.tif 000002
【図２】
0003612102.tif 000003
【図３】
0003612102.tif 000004
【図４】
0003612102.tif 000005
【図５】
0003612102.tif 000006
【図６】
0003612102.tif 000007
【図７】
0003612102.tif 000008
【図８】
0003612102.tif 000009
【図９】
0003612102.tif 000010
【図１０】
0003612102.tif 000011
【図１１】
0003612102.tif 000012
【図１２】
0003612102.tif 000013
【図１３】
0003612102.tif 000014
【図１４】
0003612102.tif 000015
【図１５】
0003612102.tif 000016
【図１６】
0003612102.tif 000017
【図１７】
0003612102.tif 000018
【図１８】
0003612102.tif 000019
【図１９】
0003612102.tif 000020
【図２０】
0003612102.tif 000021